(57)【要約】【課題】アタッチメントが着脱可能で、光線を遮らず且つ最先端のレンズの衝突を防止可能なレンズ鏡筒を提供する。【解決手段】アクセサリ１０，２０が着脱可能であり、被写体からの光が入射するレンズ鏡筒１であって、前記アクセサリ１０，２０を着脱する着脱部６と、前記着脱部６を有し、被写体側の端部に、前記被写体からの光が入射する方向に形成された凹部４又は凸部５を有する筒部材３と、を備える。【選択図】図１
2020134759.tif 000002
【特許請求の範囲】
【請求項１】
アクセサリが着脱可能であり、被写体からの光が入射するレンズ鏡筒であって、
前記アクセサリを着脱する着脱部と、
前記着脱部を有し、前記被写体側の端部に、前記被写体からの光が入射する方向に形成された凹部又は凸部を有する筒部材と、を備える
レンズ鏡筒。
【請求項２】
請求項１に記載のレンズ鏡筒であって、
前記被写体からの光が入射する複数のレンズを備え、
前記筒部材は、前記複数のレンズを通った光を撮像する撮像面の角部に対応する位置に前記凹部を有する
レンズ鏡筒。
【請求項３】
前記凹部から前記複数のレンズに入射した光は、前記撮像面の角部に結像する
請求項２に記載のレンズ鏡筒。
【請求項４】
請求項２又は請求項３に記載のレンズ鏡筒であって、
前記筒部材は、前記撮像面の辺に対応する位置に前記凸部を有する
レンズ鏡筒。
【請求項５】
請求項１から４の何れか１項に記載のレンズ鏡筒であって、
前記アクセサリは切り欠きを有し、
前記筒部材は、前記着脱部に前記アクセサリが装着されている場合において前記アクセサリの切り欠きに対応する位置に前記凸部を有する
レンズ鏡筒。
【請求項６】
請求項１から請求項５の何れか１項に記載のレンズ鏡筒であって、
前記着脱部は、前記筒部材の外周側に設けられ、円形のフィルターを保持した前記アクセサリを着脱する
レンズ鏡筒。
【請求項７】
請求項１から６の何れか１項に記載のレンズ鏡筒であって、
前記着脱部は、前記アクセサリとレンズフードとが着脱可能である
レンズ鏡筒。
【請求項８】
レンズ鏡筒の外周側に着脱可能な着脱部と、
被写体からの光が入射する円形フィルターを取り付け可能な取付部と、
前記着脱部と前記取付部とを有し、前記被写体からの光が入射する方向に形成された凹部又は凸部を有する本体部と、を備える
アクセサリ。
【請求項９】
請求項８に記載のアクセサリであって、
前記本体部は、前記円形フィルターを取り付けたときに前記円形フィルターを外周側から操作可能な切り欠きが設けられている
アクセサリ。
【発明の詳細な説明】
【技術分野】
【０００１】
本発明は、レンズ鏡筒及びアクセサリに関するものである。
【背景技術】
【０００２】
従来、先端の内周側にレンズフィルターを着脱可能な着脱部が設けられているレンズ鏡筒がある（特許文献１参照）。径が大きいレンズフィルターを着脱可能にすると、レンズ鏡筒自体の径が大型化してしまう。
【先行技術文献】
【特許文献】
【０００３】
【特許文献１】特開平７−４３５８２号公報
【発明の概要】
【０００４】
第１の態様は、アクセサリが着脱可能であり、被写体からの光が入射するレンズ鏡筒であって、前記アクセサリを着脱する着脱部と、前記着脱部を有し、前記被写体側の端部に、前記被写体からの光が入射する方向に形成された凹部又は凸部を有する筒部材と、を備える構成とした。
【０００５】
第２の態様のアクセサリは、レンズ鏡筒の外周側に着脱可能な着脱部と、被写体からの光が入射する円形フィルターを取り付け可能な取付部と、前記着脱部と前記取付部とを有し、前記被写体からの光が入射する方向に形成された凹部又は凸部を有する本体部と、を備える構成とした。
【図面の簡単な説明】
【０００６】
【図１】実施形態のレンズ鏡筒１の側面図である。
【図２】レンズ鏡筒１を光軸ＯＡ方向被写体側から見た図である。
【図３】レンズ鏡筒１及びフィルターホルダ１０の斜視図である。
【図４】フィルターホルダ１０が装着された状態のレンズ鏡筒１を光軸ＯＡ方向被写体側から見た図である。
【図５】（ａ）はレンズ鏡筒１にフィルターホルダ１０及びレンズフィルター４０が装着された状態の側面図であり、（ｂ）は（ａ）の状態に、さらにキャップ４１が取り付けられた状態の側面図である。
【図６】レンズ鏡筒１及びレンズ鏡筒１に装着されるレンズフード２０の斜視図である。
【図７】（ａ）はレンズ鏡筒１にレンズフード２０が装着された状態の側面図であり、（ｂ）はレンズ鏡筒１にレンズフード２０が前後逆にして装着された状態の側面図である。
【発明を実施するための形態】
【０００７】
以下、図面等を参照して実施形態について説明する。図１は、実施形態のレンズ鏡筒１の側面図である。レンズ鏡筒１は、カメラボディ１００に対して、例えば、バヨネット式のマウント部２を介して着脱可能に装着することが可能な交換式のレンズ鏡筒１である。
なお、以下に示す各図には、方向を明確にするために、ＸＹＺ直交座標系を設けて図示する。この座標系では、撮影者が光軸ＯＡを水平として横長の画像を撮影する場合の当該レンズ鏡筒１を装着したカメラボディ１００の位置（以下、正位置という）において撮影者から見て左側に向かう方向をＸプラス方向、正位置において上側に向かう方向をＹプラス方向、正位置において被写体に向かう方向をＺプラス方向とする。
また、明細書中、レンズ鏡筒１におけるＺプラス側を先端側又は被写体側、Ｚマイナス側を像側として説明する。
【０００８】
（カメラボディ１００）
カメラボディ１００の内部には、レンズ鏡筒１の複数のレンズを通った光線より被写体像を撮像する撮像部１０１が設けられている。撮像部１０１はＣＣＤやＣＭＯＳなどのデバイスから構成され、受光した光信号を電気信号に変換する。撮像部１０１及び撮像部１０１の撮像面は、略長方形で、長辺がＸ方向、短辺がＹ方向に沿うようにして、光軸ＯＡに対して直交するＸＹ平面に配置されている。
【０００９】
（レンズ鏡筒１）
レンズ鏡筒１は、例えば広角レンズであって、カメラボディ１００に着脱可能である。レンズ鏡筒１は、複数の筒部材を備え、筒部材の内部に複数のレンズ（図１には、最先端のレンズＬ１の輪郭を点線で示す）を含み、レンズは、ズーミングやフォーカシング時に光軸ＯＡに沿って移動可能である。レンズ鏡筒１、複数のレンズには被写体からの光が入射する。
【００１０】
図２はレンズ鏡筒１を光軸ＯＡ方向被写体側から見た図で、すなわちレンズ鏡筒１の、光軸ＯＡと直交する平面視である。図２に示す点線は、レンズ鏡筒１をカメラボディ１００に装着した場合の撮像部１０１又は撮像部１０１の撮像面の位置である。
【００１１】
（凹部４）
レンズ鏡筒１の複数の筒部材のうちの、最先端の筒部材３は、実施形態では固定筒で、筒部材３の先端縁部には、円周に沿った４か所に、被写体側から像側に向かって窪んだ凹部４が設けられている（図１、図３、等）。言い換えると、凹部は被写体からの光が入射する方向に形成されている。凹部４は、実施形態では切り欠き部である。図２に示すように、凹部４は、撮像部１０１又は撮像部１０１の撮像面の角部分１０１ａに対応する位置に設けられている。すなわち、凹部４は、図２に一点鎖線で示すように、光軸ＯＡから撮像部１０１又は撮像部１０１の撮像面の角部分１０１ａへ延びる直線ｍ上に設けられている。
撮像部１０１又は撮像部１０１の撮像面は長方形であるため、角部分１０１ａへ入射可能な光線の光軸に対する角度は、角部分１０１ａ以外の部分（例えば、長辺の部分）へ入射可能な光線の光軸に対する角度に比べて大きい。よって、凹部４が設けられていることにより、角部分１０１ａに入射可能な光線が遮られにくくなる。これにより、角部分１０１ａにケラレ等が生じる可能性が低減される。凹部４から入射した光は、撮像部１０１の撮像面の角部分に結像する。
【００１２】
（凸部５）
筒部材３において、前記凹部４とは異なる位置に凸部５が形成されている（図１、図３、等）。例えば、図２に示すように、矩形の撮像部１０１又は撮像部１０１の撮像面の辺に対応する位置全体に、凸部５が延びている。凸部５の先端は、最先端のレンズＬ１の表面よりもさらに先端側（光軸方向）に延びている。これにより、レンズ鏡筒１が、被写体側が下になるように落下した場合に、凸部５が先に例えば地面と衝突するので、最先端のレンズＬ１が地面と衝突することがない。
なお、凸部５は、撮像部１０１又は撮像部１０１の撮像面の辺に対応する位置全体に設けられていなくてもよいが、少なくとも後述するフィルターホルダ１０の装着時に、フィルターホルダ１０の切り欠き１１が位置する部分（撮像部１０１又は撮像部１０１の撮像面の短辺に対応する位置）に設けられている。これにより、筒部材３の凸部５は、フィルターホルダ１０の切り欠き１１から入ってくる余計な光線を遮ることができる。
このように、筒部材３は、衝突回避且つ余計な光線の遮断としての機能を有している。
【００１３】
（着脱部６）
図３等に示すように、筒部材３の外周には、アタッチメントが着脱可能な着脱部６が設けられている。着脱部６は、バヨネット爪取り付け部６Ａと、バヨネット爪抑え環状部６Ｂと、バヨネット爪規制部６Ｃとを備える。
バヨネット爪取り付け部６Ａは、筒部材３の外周における光軸ＯＡを中心とした対称な２か所に、円周方向に延びるように所定長さで径方向に突出して設けられている。
バヨネット爪抑え環状部６Ｂは、筒部材３の外周におけるバヨネット爪取り付け部６Ａからわずかに像側において、全周にわたって径方向に突出して設けられている。
バヨネット爪規制部６Ｃは、バヨネット爪取り付け部６Ａの光軸ＯＡ方向被写体側から見たときの時計回りの先端側から、バヨネット爪抑え環状部６Ｂに向かって、径方向に突出して設けられている。
【００１４】
（アクセサリ）
レンズ鏡筒１は、上記の１つの着脱部６に、複数のアクセサリ、実施形態ではフィルターホルダ１０とレンズフード２０との２つのアクセサリが着脱可能である。すなわち、フィルターホルダ１０用の着脱部と、レンズフード２０用の着脱部とを別に設けなくてもよい。
【００１５】
（フィルターホルダ１０）
図３はレンズ鏡筒１及びレンズ鏡筒１に装着されるフィルターホルダ１０の斜視図である。フィルターホルダ１０は、レンズフィルター４０をレンズ鏡筒１に取り付けるためのホルダである。図４は、フィルターホルダ１０が装着された状態のレンズ鏡筒１を光軸ＯＡ方向被写体側から見た図である。図４に示す点線は、レンズ鏡筒１をカメラボディ１００に装着した場合の撮像部１０１又は撮像部１０１の撮像面の位置である。図５（ａ）はレンズ鏡筒１にフィルターホルダ１０が装着され、さらにフィルターホルダ１０にレンズフィルター４０が装着された状態の側面図であり、図５（ｂ）はフィルターホルダ１０に対して先端側からキャップ４１が取り付けられた状態の側面図である。
【００１６】
（バヨネット爪１２）
図３に示すように、フィルターホルダ１０は、像側から被写体側に段階的に径が増加する筒部材である本体部１０Ａを備える。本体部１０Ａの像側小径部の内径側には、レンズ鏡筒１との着脱に用いられる着脱部であるバヨネット爪１２が設けられている。バヨネット爪１２は光軸ＯＡを中心とした対称な２か所に、円周方向に延びるように内径側に突出して所定長さで設けられている。
【００１７】
（ねじ部１３）
本体部１０Ａの被写体側大径部の内径側には、レンズフィルター４０を取り付けるための取付部であるねじ部１３が設けられている。被写体側大径部の内径側の径は、レンズ鏡筒１の筒部材３の径よりも大きい。すなわち、フィルターホルダ１０にはレンズ鏡筒１の筒部材３よりも大径のレンズフィルター４０を取り付けることができる。
【００１８】
（レンズフィルター４０）
フィルターホルダ１０に装着されるレンズフィルター４０は、ねじ部１３と螺合するねじ部が設けられた円形のレンズフィルターである。円形のレンズフィルター４０としては、種々の機能を有するものが装着可能である。例えば、円偏光用レンズフィルター４０の装着が可能である。円偏光用レンズフィルター４０は、２つのフィルター板が互いに相対回転可能に重ねられたもので、一方のフィルター板に対して他方を回転させることにより、光線を偏光することができる。
【００１９】
（切り欠き１１）
本体部１０Ａの被写体側大径部には、被写体側から像側に向かって窪んだ切り欠き１１と、切り欠き１１以外の部分である山部１４とが設けられている。
切り欠き１１は、図５（ａ）に示すように、円偏光用レンズフィルター４０をフィルターホルダ１０に装着したときに、フィルターホルダ１０側のねじ部１３と螺合する、円偏光用レンズフィルター４０側のねじ部以外の側面４０Ａが外部に露出するように設けられている。この切り欠き１１により、円偏光用レンズフィルター４０の場合、被写体側のフィルターを像側のフィルターに対して外周側から回転可能となる。また、この切り欠き１１により、円偏光用レンズフィルター４０に限らず、全てのレンズフィルターをフィルターホルダ１０に装着する際に、フィルターホルダ１０に対して回転させることができる。
【００２０】
また、切り欠き１１は、撮像部１０１又は撮像部１０１の撮像面の短辺位置に対応している。すなわち、図４に示すように、光軸ＯＡから撮像部１０１又は撮像部１０１の撮像面の４つの角部分１０１ａへ延びる直ｍによって区切られた４つの領域のうちの、撮像部１０１又は撮像部１０１の撮像面の短辺が含まれる２つの領域に設けられている。
【００２１】
（装着方法）
次に、フィルターホルダ１０のレンズ鏡筒１への装着方法について説明する。
フィルターホルダ１０のバヨネット爪１２が、レンズ鏡筒１のバヨネット爪取り付け部６Ａが設けられていない領域にくるようにして、フィルターホルダ１０をレンズ鏡筒１の外周に差し込んで像側に押し込み、バヨネット爪抑え環状部６Ｂに当接させる。
この状態で、フィルターホルダ１０を光軸ＯＡ被写体側から見て時計周りに相対回転させる。
そうすると、バヨネット爪取り付け部６Ａとバヨネット爪抑え環状部６Ｂとの間の溝部に、バヨネット爪１２がスライドして入り込む。そして、バヨネット爪１２がバヨネット爪規制部６Ｃと当接すると、フィルターホルダ１０の時計回りの回転が規制されてフィルターホルダ１０はレンズ鏡筒１に装着される。
【００２２】
また、フィルターホルダ１０にレンズフィルター４０を装着した状態で、撮影を終了した場合、図５（ｂ）に示すように、フィルターホルダ１０の上から有底円筒状のキャップ４１を被せることで、レンズＬ１もしくはレンズフィルターを保護することができる。
【００２３】
装着後のフィルターホルダ１０は、山部１４が撮像部１０１又は撮像部１０１の撮像面の長辺方向に位置し、切り欠き１１が撮像部１０１又は撮像部１０１の撮像面の短辺側にくる。
フィルターホルダ１０は、この山部１４によって、撮像部１０１又は撮像部１０１の撮像面の長辺側から入射する不必要な光を遮断することができる。すなわち、フィルターホルダ１０は、レンズフードとしての機能も有する。
【００２４】
また、フィルターホルダ１０には切り欠き１１が設けられているため、切り欠き１１から余計な光線が入ってくる可能性がある。しかし、上述したように、切り欠き１１の位置には、レンズ鏡筒１側における筒部材３の凸部５が設けられている。したがって、切り欠き１１から撮像部１０１又は撮像部１０１の撮像面の短辺側に入射する不必要な光線は、凸部５によって遮断される。
これにより、不要な光線がレンズ鏡筒１及びカメラボディ１００に入射することによるゴーストやフレアの撮影画像への入り込みの可能性が低減され、より良好な写真撮影が可能となる。
【００２５】
レンズ鏡筒１が広角のレンズ鏡筒の場合、入射光の画角を大きく保つために、レンズ鏡筒１の被写体側に装着する円形フィルターの径は大きくなる。このため、例えば、従来、筒部材３の内周側に円形フィルターを装着する場合は、筒部材３の径を大きくする必要があった。
しかし、実施形態のレンズ鏡筒１は、フィルターホルダ１０をレンズ鏡筒１の外径側に設けられた着脱部６に装着可能である。そして筒部材３の外周よりもさらに外周側に、円形フィルターを装着可能であるので、筒部材３の径を大きくすることなく、大径の円形フィルターを装着可能である。よって、レンズ鏡筒１自体の径を小型化でき、かつ大径のフィルターを装着することができる。また、レンズ鏡筒１には凹部４や凸部５が形成されているため、フィルター装着時も装着されていない時も、必要な光線は遮らず、不必要な光線は遮ることができる。また、凸部５はフィルターホルダ１０やレンズフード２０等のアクセサリの装着を妨げない程度に突出しているため、アクセサリの着脱をスムーズに行うことができる。
【００２６】
（レンズフード２０）
図６はレンズ鏡筒１及びレンズ鏡筒１に装着されるレンズフード２０の斜視図である。実施形態のレンズ鏡筒１は、フィルターホルダ１０だけでなくレンズフード２０も着脱可能である。図７（ａ）はレンズ鏡筒１にレンズフード２０が装着された状態の側面図であり、（ｂ）はレンズ鏡筒１にレンズフード２０が前後逆にして装着された状態の側面図である。
【００２７】
レンズフード２０もフィルターホルダ１０と同様に、被写体側の筒部材の内径側には、レンズ鏡筒１との着脱に用いられる着脱部であるバヨネット爪２２が設けられている。バヨネット爪２２は光軸ＯＡを中心とした対称な２か所に、円周方向に延びるように所定長さで設けられている。レンズフード２０のレンズ鏡筒１への装着方法は、フィルターホルダ１０と同様であるので説明を省略する。
さらに、レンズフード２０は、レンズフード２０として用いない場合、図７（ｂ）に示すように、レンズ鏡筒１に対して逆方向に取り付け、レンズ鏡筒１の先端側に突出しないようにレンズ鏡筒１に対して収納状態で装着することができる。
【００２８】
なお、上述した実施形態に限らず任意の組み合わせでも良い。
【符号の説明】
【００２９】
Ｌ１：レンズ、ＯＡ：光軸、１：レンズ鏡筒、２：マウント部、３：筒部材、４：凹部、５：凸部、６：着脱部、６Ａ：バヨネット爪取り付け部、６Ｂ：環状部、６Ｃ：バヨネット爪規制部、１０：フィルターホルダ、１０Ａ：本体部、１１：切り欠き、１２：バヨネット爪、１３：ねじ部、１４：山部、２０：レンズフード、２１：フード凹部、２２：バヨネット爪、４０：円偏向用レンズフィルター、４１：キャップ、１００：カメラボディ、１０１：撮像部、１０１ａ：角
【図１】
2020134759.tif 000003
【図２】
2020134759.tif 000004
【図３】
2020134759.tif 000005
【図４】
2020134759.tif 000006
【図５】
2020134759.tif 000007
【図６】
2020134759.tif 000008
【図７】
2020134759.tif 000009